(57)【要約】      （修正有）【課題】主に合成樹脂製の鏝板へ滑止部を形成することにより、左官作業中の塗材の落下防止を効果的に図り、その結果、この種の左官作業の効率化に貢献する鏝板を提供する。【解決手段】表面に塗材の載置部を設けた基板１と、該基板の裏面に固着された把持部２とで形成された鏝板において、前記基板の裏面側を少なくとも二層構造とすると共に、表面側の一層へ貫通孔を設けて凹陥部を構成し、該凹陥部へ両端に平坦面を有する柱状体を形成し、該柱体へ前記把持部を固定する。【選択図】図１
0003130769.tif 000002
【実用新案登録請求の範囲】
【請求項１】
表面に塗材の載置部を設けた基板と、該基板の裏面に固着された把持部とで形成された鏝板において、前記基板の裏面側を少なくとも二層構造とすると共に、表面側の一層へ貫通孔を設けて凹陥部を構成し、該凹陥部へ両端に平坦面を有する柱状体を形成し、該柱体へ前記把持部を固定したことを特徴とする鏝板。
【請求項２】
前記把持部は表面側から柱体へ螺子により固定されたことを特徴とする請求項１に記載の鏝板。
【請求項３】
前記柱体は凹陥部へ接着剤により固定されたことを特徴とする請求項１に記載の鏝板。
【請求項４】
前記基板が三層構造であり表面側の一層から二層に亘って貫通孔を形成することにより凹陥部が構成されていることを特徴とする請求項１乃至請求項３に記載の鏝板。
【考案の詳細な説明】
【技術分野】
【０００１】  本考案は、壁の下塗、上塗り等に使用する左官用具に関するものであり、詳細には、土、漆喰、モルタル等の壁面の表面を滑らかに仕上げたり、煉瓦の積目を接合する際に鏝と併用する鏝板に関するものである。
【背景技術】
【０００２】  従来より、この種の左官用の鏝板は、土、漆喰、モルタル等の壁面の表面を滑らかに仕上げたり、煉瓦の積目を接合する際に、塗材を載せて運んだり、塗材をあわせたり、或は、壁に当てて使用するものであり、一般には、天然素材である木製の板材が多く使用されている。また、この種の鏝板には、把持部が必須の構造となっている。【０００３】  ところが、把持部を鏝板に固定する場合、例えば、実公昭４０−００６０５６号公報のように表面側から釘や螺子等で固定すると、長期に亘る作業で釘や螺子の露出を招き、塗材の均し作業に悪い。また、従来の方法で製造される鏝板は、大量生産に適していないために高価である等の欠点を有していた。（特許文献１参照）
【特許文献１】実公昭４０−００６０５６号公報
【考案の解決すべき課題】
【０００４】  本考案は、前述の課題に鑑みて、この種の鏝板の構造を堅牢で且つ簡素化し、塗材を載せる部分が長期に亘り平滑面を維持する鏝板を提供することを目的としている。
【課題を解決するための手段】
【０００５】  本考案は、上記の課題を解決するものであり、請求項１の鏝板は、表面に塗材の載置部を設けた基板と、該基板の裏面に固着された把持部とで形成された鏝板において、前記基板の裏面側を少なくとも二層構造とすると共に、表面側の一層へ貫通孔を設けて凹陥部を構成し、該凹陥部へ両端に平坦面を有する柱状体を形成し、該柱体へ前記把持部を固定したことを特徴としている。
【０００６】  請求項２の鏝板は、把持部は表面側から柱体へ螺子により固定されたことを特徴としている。
【０００７】  請求項３の鏝板は、柱体は凹陥部へ接着剤により固定されたことを特徴としている。
【０００８】  請求項４の鏝板は、基板が三層構造であり表面側の一層から二層に亘って貫通孔を形成することにより凹陥部が構成されていることを特徴としている。
【考案を実施するための最良の形態】
【０００９】  上記の目的を達成した本考案を以下の実施例の図面により説明する。図１は、本考案に係わる鏝板の概要を示す平面図であり、図２は、本考案に係わる鏝板の概要を示す底面図であり、図３は、本考案に係わる鏝板の概要を示す外観図であり、図４は、本考案に係わる鏝板における把持部を説明する分解図であり、図５は、本考案の鏝板における把持部の取付形態を説明する要部拡大断面図である。【００１０】  本考案は、壁の下塗、上塗りに使用する左官用具に関するものであり、詳細には、土、漆喰、モルタル等の壁面の表面を滑らかに仕上げるための鏝と共に使用する鏝板に関するものであり、図１乃至図５に図示の如く、表面に塗材の載置部１ａを設けた基板１と、該基板１の裏面に固着された把持部２とで形成された鏝板１である。【００１１】  本考案の鏝板に使用される基板１は、図５に図示の如く、略矩形状の厚みを有する木質材から成り、前記基板１の裏面側に、少なくとも二層構造を有した積層板を用いる。この基板１は、図示の如く、作業中の安全面を考慮して隅部をアールに仕上げた略矩形状のもので、平滑な表面をモルタル等の塗材の載置部１ａとしたものである。【００１２】  実施例の鏝板では、前記基材１は、化粧板１１．１３と中板１２から積層された三層構造になっている。【００１３】  前記基板１の裏面の斜め方向には、図１、図３乃至図５に図示の如く、例えば、把持部２を取り付けるための柱状体４が立設されるが、本考案においては、表面側の一層である化粧板１１と中板１２へかけて円形の貫通孔を設けて凹陥部３を構成する。尚、貫通孔を事前ら形成して積層させても構わないが、積層されたものに対して表面からコアドリル等で貫通孔を設けても構わない。その場合、化粧板１３を中板１２の材質よりも硬質とすることで、ドリルに対して、一旦、化粧板１３の表面に至る時点で抵抗１１が与えられるので、貫通孔が塗材の載置部１ａ側へ誤って形成されることを防止できる。【００１４】  そして、前記凹陥部３へは、両端に平坦面を有する柱状体４を接着剤により固定する。この柱体４は、木製の略平板状の厚みを有し、平坦面を柱体４との当接面とした把持部５を螺子５により固定する。より詳細には、前記把持部５は表面側から柱体４へ頭部が平坦な螺子５により強固に固定される。【００１５】  前記把持部２は、図５に図示の如く、例えば、手で握り易くすることを考慮して両側部をアールに仕上げた略平板状の木製の部材から成り、両端部を基板１への取付部としたものである。この把持部２は、硬質の素材で形成した場合には、両端部に螺子５を螺入させる貫通孔を設ける。【００１６】  尚、鏝板を構成する基板１の表面の載置部１ａの複数箇所へは、必要に応じて、滑止部を点在させても構わない。【００１７】  以上の如く構成された本考案の鏝板は、極めて簡素な構成で製造することが可能であり、左官作業において、一般的な鏝板と同様の方法で取り扱うことができる。
【考案の効果】
【００１８】  本考案の鏝板は、載置部を設ける基板を積層構造とし、この基板に設けた凹陥部に立設した柱体を介在して形成したため、簡素で且つ堅牢な鏝板を提供することができる。従って、この種の左官用具を低コストで且つ短時間で製造できる画期的で且つ有意義な考案である。
【図面の簡単な説明】
【００１９】
【図１】本考案に係わる鏝板の概要を示す平面図である。
【図２】本考案に係わる鏝板の概要を示す底面図である。
【図３】本考案に係わる鏝板の概要を示す外観図である。
【図４】本考案に係わる鏝板における把持部を説明する分解図である。
【図５】本考案の鏝板における把持部の取付形態を説明する要部拡大断面図である。
【符号の説明】
【００２０】１  基板
１ａ  載置部
１１  化粧板
１２  中板
１３  化粧板
２  把持部
３  凹陥部
４  柱状体
５  螺子
【図１】
0003130769.tif 000003
【図２】
0003130769.tif 000004
【図３】
0003130769.tif 000005
【図４】
0003130769.tif 000006
【図５】
0003130769.tif 000007
【手続補正書】
【提出日】平成18年12月28日(2006.12.28)
【手続補正１】
【補正対象書類名】実用新案登録請求の範囲
【補正対象項目名】請求項４
【補正方法】変更
【補正の内容】
【請求項４】
前記基板が三層構造であり表面側の一層から二層に亘って貫通孔を形成することにより凹陥部が構成されていることを特徴とする請求項１乃至請求項３のいずれか１項に記載の鏝板。